【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
支持体を供給すること；
有効量の活性成分を供給すること；
有効量の架橋用成分を供給すること；
有効量のマトリックス形成用成分を供給すること；
前記活性成分、前記架橋用成分、及び前記マトリックス形成用成分を前記支持体上に固定し、これによって機能性表面を形成させること；
を含む、機能性表面の製造法。
【請求項２】
前記固定処理がさらに、前記活性成分、前記架橋用成分、及び前記マトリックス形成用成分を前記支持体上に塗被すること、被覆された支持体を作製すること、並びに前記被覆支持体を硬化させることを含む、請求項１記載の製造法。
【請求項３】
前記硬化処理が、熱による活性化、光による活性化、又は化学的活性化からなる群から選択される、請求項２記載の製造法。
【請求項４】
前記活性成分が、官能基、スペーサー基、及び結合基を含む、請求項１記載の製造法。
【請求項５】
前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、アルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、オキサゾリン、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、ポリサッカライド、及び極性の合成ポリマーからなる群から選択される、請求項４記載の製造法。
【請求項６】
前記スペーサー基が、二官能性で直鎖のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；二官能性で星形のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；並びに二官能性で櫛状のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デン
ドリマー、及び高分岐ポリマー；からなる群から選択される、請求項４記載の製造法。
【請求項７】
前記結合基が、シラン、メタクリレート、ジスルフィド、ジシラザン、スルフヒドリル、アクリレート、カルボキシレート、イソニトリル、イソシアネート、ホスホアミダイト、ナイトレン、エポキシド、ヒドロシリル、エステル、アレーン、アジド、ニトリル、キノン、及びビニル基からなる群から選択される、請求項４記載の製造法。
【請求項８】
前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基を含む分子である、請求項１記載の製造法。
【請求項９】
前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン（Ｔｗｅｅｎ）（登録商標）界面活性剤；トリトン（Ｔｒｉｔｏｎ）（登録商標）界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；カーボンネート化界面活性剤、ペルフッ素化界面活性剤、及びケイ素化界面活性剤；カゼイン；血清希釈物；ウシ血清アルブミン；糖脂質及び脂質；ヘパリンもしくは他のグリコサミノグリカン；マスシン（ｍｕｓｃｉｎ）；プロテオグリカン；並びにポリサッカライド；からなる群から選択される分子の１種以上で構成されている、請求項１記載の製造法。
【請求項１０】
有効量の活性成分を有する支持体；
有効量の架橋用成分；及び
有効量のマトリックス形成用成分；
を含み、前記活性成分、前記架橋用成分、及び前記マトリックス形成用成分が、外部環境における非標的分子に対して低い非特異的結合特性を有する機能化された表面をもたらす一体になって網の目状に絡み合ったマトリックスを形成する、非標的検体に対して低い非特異的結合特性を有する機能性表面。
【請求項１１】
前記活性成分が、官能基、スペーサー基、及び結合基を含む、請求項１０記載の機能性表面。
【請求項１２】
前記官能基が標的検体への選択的結合を容易にし、前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、酸塩化物、ハロアルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、プロテオグリカン、グリコサミノグリカン、ポリサッカライド、及び極性の合成ポリマーからなる群から選択される、請求項１１記載の機能性表面。
【請求項１３】
前記スペーサー基が、二官能性で直鎖のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；二官能性で星形のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；並びに二官能性で櫛状のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；からなる群から選択される、請求項１１記載の機能性表面。
【請求項１４】
前記結合基が、シラン、メタクリレート、ジスルフィド、ジシラザン、スルフヒドリル、アクリレート、カルボキシレート、イソニトリル、イソシアネート、ホスホアミダイト
、ナイトレン、エポキシド、ヒドロシリル、エステル、アレーン、アジド、ニトリル、キリン、及びビニル基からなる群から選択される、請求項１１記載の機能性表面。
【請求項１５】
前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基で構成されている分子である、請求項１０記載の機能性表面。
【請求項１６】
前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン（Ｔｗｅｅｎ）（登録商標）界面活性剤；トリトン（Ｔｒｉｔｏｎ）（登録商標）界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；直鎖のポリアミンポリマー、星形のポリアミンポリマー、櫛形のポリアミンポリマー、及び樹枝状のポリアミンポリマー；カーボネート化界面活性剤、ペルフッ素化界面活性剤、及びケイ素化界面活性剤；カゼイン；血清希釈物；ウシ血清アルブミン；糖脂質及び脂質；ヘパリンもしくは他のグリコサミノグリカン；ｍｕｓｃｉｎ；並びにポリサッカライド；からなる群から選択される、請求項１０記載の機能性表面。
【請求項１７】
前記活性成分がＮＨＳ−ＰＥＧ−シランである、請求項１０記載の機能性表面。